【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】  ５より大きい比誘電率を有する固体材料の電気絶縁性コアと、給電接続部と、前記コアの外側面の上、または隣接して配置されたアンテナ素子構造体とを含み、前記コアの前記材料が、前記コア外側面により画定された体積の大部分を占めている、２００ＭＨｚを超える周波数を含む作動周波数帯域を有する誘電体装荷ループアンテナであって、前記アンテナ素子構造体は、一対の側方に対向して配置された縦長素子グループを含み、各グループは、前記アンテナの作動周波数帯域内の周波数で異なる電気的長さを有しており、前記給電接続部の領域内の各第一端部では共に、各第二端部では前記コアの周りに延伸するリンク用コンダクタによって結合されている第一及び第二の互いに隣接する縦長素子を含み、それによって、各グループの前記縦長素子は、前記帯域内のｎλ／２の領域においてある電気的長さを有する縦長チャネルの少なくとも一部を形成し、その大部分は前記素子間に配置されており、また、前記二つのグループの前記第一素子は、第一ループ状導電性経路の一部を形成し、かつ、前記二つのグループの第二素子が、第二ループ状導電性経路の一部を形成しているため、前記経路は、前記帯域内で異なるそれぞれの共振周波数を有し、個々に前記給電接続部から前記リンク用コンダクタまで延伸し、次に前記給電接続部に戻り、前記チャネルの前記電気的長さが、それらのそれぞれの共振周波数で、前記導電性経路の実質的な絶縁を双方から行うように配置されており、λが前記周波数での前記アンテナ素子構造体における電流の波長であり、ｎが整数（１，２，３，・・・）である、２００ＭＨｚを超える周波数で作動するための誘電体装荷ループアンテナ。
【請求項２】 前記チャネルは、完全に前記縦長素子間に配置されている、請求項１に記載のアンテナ。
【請求項３】 前記縦長素子間に配置されている前記チャネルの一部の前記長さは、Ｌを前記チャネルの合計の物理的長さとして、少なくとも０．７Ｌである、請求項１に記載のアンテナ。
【請求項４】 前記コアは、略円筒形であり、対称の中心軸を画定し、前記給電接続部は、前記コアの端面上に配置され、前記アンテナ素子は略螺旋形であり、各々は前記軸の周りで半回転し、且つ、その軸方向において前記アンテナ素子は実質的に同じ長さに広がり、各素子は前記コアの外側面の上又は隣接した軸方向に離間された位置の間に延伸し、前記離間された位置の各々で前記アンテナ素子のそれぞれの前記離間された部分が実質的に前記コアの中心軸を含む単一面内に位置する、請求項１乃至３の何れかに記載のアンテナ。
【請求項５】 各素子グループ中の前記素子の一つは、そのグループの他の一素子または複数素子と異なる幅のものである、請求項１乃至３の何れかに記載のアンテナ。
【請求項６】 各素子グループ中の前記素子の一つは、そのグループの他の一素子または複数素子と異なる物理的長さのものである、請求項１乃至３の何れかに記載のアンテナ。
【請求項７】 前記リンク用コンダクタは、前記コアの前記外側面の近傍部分上の円筒形導電性スリーブを含み、前記スリーブの近傍端部は、前記フィーダ構造体の一部に接続され、前記アンテナ素子は、前記スリーブの先端リムの全体領域において、前記スリーブに結合されている、請求項１乃至３の何れかに記載のアンテナ。
【請求項８】 前記スリーブの前記先端リムは、実質的に平面である、請求項７に記載のアンテナ。
【請求項９】 前記各グループの二つの互いに隣接する素子は、それらの長さの大部分にわたって互いに平行である、請求項８に記載のアンテナ。
【請求項１０】 ５より大きい比誘電率を有する固体材料の電気絶縁性コアと給電接続部と、前記コアの外側面の上、または隣接して配置されたアンテナ素子構造体と、を含み、第一及び第二対のアンテナ素子を含む、２００ＭＨｚを超える周波数で作動するためのアンテナであって、前記各対に属する素子は、実質的に直径方向で互いに対向して配置され、前記コアの材料は、前記コア外側面により画定された体積の大部分を占め、前記第二対の前記素子が、前記第一素子対の幅よりも広い幅を有するように形成されている、２００ＭＨｚを超える周波数で作動するためのアンテナ。
【請求項１１】 ５より大きい比誘電率を有する材料の固体コアの外側面の上、または隣接して導電性ヘリカルトラックとして形成された側方に対向して配置されたアンテナ素子対を有する誘電体装荷クワドリファイラヘリカルアンテナであって、前記一方の対のトラックは、前記他方対のトラックよりも幅広である、誘電体装荷クワドリファイラヘリカルアンテナ。
【請求項１２】 ラジオトランシーバと、使用時に利用者の頭部に押し当てられるユニットの内側面からの音響エネルギーに向きを合わせる一体型イヤホーンと、前記トランシーバに結合された請求項１において請求されたアンテナと、を有する携帯無線通信ユニットであって、前記コアは中心軸を画定し、前記アンテナ素子は前記軸方向に実質的に同じ長さに広がり、各アンテナ素子は前記コアの外側面の上又は隣接した軸方向に離間された位置の間で延伸し、前記離間された位置の各々で、前記アンテナ素子のそれぞれの離間された部分が実質的に前記コアの中心軸を含む単一面内に位置し、前記アンテナは、前記単一面にほぼ垂直な方向に零位を有する放射パターンを有し、前記零位が前記ユニットの前記内側面にほぼ垂直に向きを合わせられて前記利用者の頭部の方向における前記ユニットからの放射レベルを減少させるように、前記アンテナを前記ユニットに実装する、携帯無線通信ユニット。
【請求項１３】  前記コアは、円筒形であり、第一及び第二端面を有し、
前記アンテナ素子は、螺旋形であり、個々に、前記中心軸の周りで半回転し、また個々に第一端部及び第二端部を有し、
前記アンテナは、前記第一端面に関係付けられており前記第一アンテナ素子端部に結合された給電接続部を有し、
前記給電接続部は、前記コアの端部を貫通する軸方向フィーダ構造体の端部を形成し、前記アンテナは、前記第二アンテナ素子端部をリンクさせて絶縁トラップを形成するように、前記円筒を取り囲む導電性スリーブにより形成されたリンク用コンダクタを有する、
請求項１２に記載のユニット。
【手続補正２】
【補正対象書類名】明細書
【補正対象項目名】００３２
【補正方法】変更
【補正の内容】
【００３２】
縦方向に延伸する素子と対応する径方向素子の各対は、所定電気的長さを有するコンダクタを構成している。この場合、電気的長さは、アンテナ素子の物理的長さのみならず、
素子の幅によっても決定される。事実上、アンテナ素子は導波管と見なすことができる。当業者に予見されるように、幅広素子は、それよりも幅狭の素子で伝播される位相速度よりも遅い位相速度で、適用された信号を伝播させる。本実施態様では、幅狭素子対それぞれの合計の電気的長さは、作動波長において約１３５°の伝送遅延に対応するように構成されるが、幅広素子対のそれぞれは、さらに長い遅延を引き起こしており実質的に２２５°対応している。故に、平均伝送遅延は、作動波長におけるλ／２の電気的長さに相当する１８０°となる。The Microwave Journalの1970年12月号、49〜54頁に、「Resonant Quadrifilar Helix Design」と題してKilgus が明記しているように、異なる素子幅は、円偏波信号用のクワドリファイアヘリカルアンテナ(quadrifilar helix antenna)に要求される位相シフト状態を生じる。